【事件の表示】
　特願２０１２−２４４３９６号「熱交換換気装置」拒絶査定不服審判事件〔平成２６年　５月１９日出願公開、特開２０１４−　９２３３３号〕について、次のとおり審決する。
【結　論】
　本件審判の請求は、成り立たない。
【理　由】
第１　手続の経緯
　本願は、平成２４年１１月６日の出願であって、平成２８年６月１６日付けで拒絶査定がされ、これに対して同年８月２３日に拒絶査定不服審判の請求がされた。
　その後、当審において平成２９年６月２日付けで拒絶理由が通知され、これに対して同年８月１日に意見書及び手続補正書が提出された。
第２　本願発明
１　手続補正の内容
　本願請求項１ないし５に係る発明は、平成２９年８月１日付け手続補正書により補正された特許請求の範囲の請求項１ないし５に記載された事項により特定されるものであるところ、特許請求の範囲の請求項１に係る発明（以下「本願発明」という。）は、
「室外側吸込口及び室内側吸込口が形成された吸込口側側面と、前記吸込口側側面と対向し、室外側吹出口及び室内側吹出口が形成された吹出口側側面と、室内側側面と、前記室内側側面と対向する室外側側面と、を有する箱体のケーシングと、
　前記室外側吸込口を入口端とし、前記ケーシング内を経て前記室内側吹出口を出口端とし、室外の空気を室内へ給気する給気路と、
　前記室内側吸込口を入口端とし、前記ケーシング内を経て前記室外側吹出口を出口端とし、室内の空気を室外へ排気する排気路と、
　前記ケーシング内に配置され、前記給気路を通過する給気流を形成し、給気送風機モータを有する、給気送風機ユニットと、
　前記ケーシング内に配置され、前記排気路を通過する排気流を形成し、排気送風機モータを有する、排気送風機ユニットと、
　前記ケーシング内に配置され、前記給気路の一部を形成する熱交換器内部給気路、及び前記排気路の一部を形成し、該熱交換器内部給気路と交差する熱交換器内部排気路を有し、該熱交換器内部給気路を通過する給気流と該熱交換器内部排気路を通過する排気流との間で熱交換を行う熱交換器と、を備えた熱交換換気装置であって、
　
前記ケーシング内に配置され、前記吸込口側側面と前記熱交換器との間に設けられている部品とを備え、
　前記熱交換器の形状は、前記室内側側面又は前記室外側側面から正面視した状態において長方形であり、
　
前記熱交換器は、前記室内側側面から前記室外側側面にかけて設けられ、
　
前記熱交換器の給気流入面は、前記吸込口側側面及び前記吹出口側側面と平行であり、
　
前記熱交換器の給気流出面は、前記吸込口側側面及び前記吹出口側側面と平行であり、
　
前記熱交換器の排気流入面は、前記ケーシングの上面及び前記ケーシングの下面と平行であり、
　
前記熱交換器の排気流出面は、前記ケーシングの上面及び前記ケーシングの下面と平行であり、
　
前記部品は、前記室内側吸込口の下縁部から、前記下縁部の上側に位置している前記排気流入面の前端へ延びる板状部材であり、
　前記給気路を流れる空気は、
前記給気流入面及び前記給気流出面
た後に前
　前記排気路を流れる空気は、
前記熱交換器の排気流入面及び前記熱交換器の前記排気流出面
た後に
ケーシングの
、
　
前記給気流入面の面積及び前記給気流出面の面積は等しく、前記排気流入面の面積及び前記排気流出面の面積は等しく、前記給気流入面の面積は前記排気流入面の
　ことを特徴とする熱交換換気装置。」（アンダーラインは、補正箇所を示す。）にあるものと認められる。
　なお、特許請求の範囲の請求項１に、「前記給気流入面の面積は前記排気流入面の面積よりも大きい」との記載があるが、本件補正前の請求項１中の「前記ケーシングの上面から下面に向かって流れる空気が通る前記熱交換器の前記ケーシングの上面及び下面と平行な面の面積は、前記熱交換器の前記吸込口側側面及び前記吹出口側側面と平行な面の面積よりも大きい」との記載、明細書の【０００９】及び【００２９】の記載並びに図１及び図２の記載からみて、「前記給気流入面の面積は前記排気流入面の面積よりも大きい」は、「
前記給気流入面の面積は前記排気流入面の
　そして、この点については、請求人も上記のとおりの誤記であることを認めている（平成２９年１０月１３日の応対記録参照。）。
第３　引用文献 
１　当審において通知した平成２９年６月２日付け拒絶理由の概要は、「本願発明は、その出願前に日本国内又は外国において、頒布された刊行物に記載された発明又は電気通信回線を通じて公衆に利用可能となった発明に基いて、その出願前にその発明の属する技術の分野における通常の知識を有する者が容易に発明をすることができたものであるから、特許法２９条２項の規定により特許を受けることができない。」であるところ、該拒絶理由に引用され、本願出願前に頒布された刊行物である、特開２０１２−１４５３２１号公報（以下「引用文献１」という。）には、以下の事項が記載されている（下線は当審で付与。）。 
１）「【発明が解決しようとする課題】 
【０００４】 
　ところで、
換気装置を設置する天井裏などの設置空間が狭い場合、特許文献１のような換気装置ではケースの厚み方向の寸法が大きくなりやすいため、設置できないことがある。このような場合には、換気装置の性能を維持しつつ、ケースの厚さ方向の寸法を小さくする必要がある
【０００５】 
　そこで、本発明は、かかる点に鑑みてなされたものであり、その目的とするところは、性能を維持しつつ、ケースの厚さ方向の寸法を小さくすることができる換気装置を提供することにある。」 
  
２）「【０００９】 
　この構成では、
前記第１素子(41)は、縦流路(F3)が開口する一対の対向面(41C,41D)が前記一方の主板(22)に平行となる姿勢で配置されており、前記第２素子(42)は、縦流路(F4)が開口する一対の対向面(42C,42D)が前記一方の主板(22)に平行となる姿勢で配置されている。したがって、直方体形状の全熱交換素子が、特許文献１のように対向する角同士を結ぶ方向が一方の主板に平行となる姿勢で配置されている場合に比べて、全熱交換素子の大きさが同じであっても、ケースの厚さ方向の寸法を小さくすることができる。
【００１０】
　ところで、
前記第１素子(41)及び前記第２素子(42)は、複数の貫通孔からなる横流路(F1,F2)と複数の貫通孔からなる縦流路(F3,F4)とが直交している直交流式の全熱交換素子である
」 
３）「【００２１】 
　
ケース２１は、略直方体形状を有している。ケース２１は、対向配置された一対の主板２２，２３（底板２２及び天板２３）と、これらの主板２２，２３の端部同士をつなぐ４つの側板２４，２５，２６，２７とを含む。
【００２２】 
　
ケース２１は、外気吸込口６１、排気吸込口６３、室内給気口６２及び排気吹出口６４を有している。外気吸込口６１及び排気吸込口６３は、側板２４に設けられており、室内給気口６２及び排気吹出口６４は、側板２５に設けられている。
【００２３】 
　
第１素子４１及び第２素子４２は、外気吸込口６１から室内給気口６２に至る給気パスＰ１を流れる室外の空気と、排気吸込口６３から排気吹出口６４に至る排気パスＰ２を流れる室内の空気との間で熱及び水分の少なくとも一方を授受（交換）させる
【００２４】 
　図４に示すように、
第１素子４１及び第２素子４２は、直方体形状を有している。
第１素子４１は、第２素子４２よりも側板２４側に位置している。
【００２５】 
　積層方向に隣り合う仕切り板７２，７２間には、波板状フィン７１により空気の流路が形成されている。前記積層方向に隣り合う波板状フィン７１，７１は、互いの流路の方向が直交するように配置されている。具体的には、第１素子４１は、方向Ｄ１に延びる複数の貫通孔からなる横流路Ｆ１と、方向Ｄ２に延びる複数の貫通孔からなる縦流路Ｆ３とを有している。第２素子４２は、方向Ｄ１に延びる複数の貫通孔からなる横流路Ｆ２と、方向Ｄ２に延びる複数の貫通孔からなる縦流路Ｆ４とを有している。 
【００２６】
　図２（Ｂ）及び図４に示すように、
第１素子４１は、横流路Ｆ１が開口する一対の対向面４１Ａ，４１Ｂのうち、横流路Ｆ１の入口側の面４１Ａが側板２４側に位置し、第２素子４２は、横流路Ｆ２が開口する一対の対向面４２Ａ，４２Ｂのうち、横流路Ｆ２の入口側の面４２Ａが側板２４側に位置している。また、第１素子４１は、縦流路Ｆ３が開口する一対の対向面４１Ｃ，４１Ｄのうち、縦流路Ｆ３の入口側の面４１Ｃが天板２３側に位置し、第２の素子４２は、縦流路Ｆ４が開口する一対の対向面４２Ｃ，４２Ｄのうち、縦流路Ｆ４の入口側の面４２Ｄが底板２２側に位置している。横流路Ｆ１，Ｆ２の各対向面は、側板２４に略平行である。縦流路Ｆ３，Ｆ４の各対向面は、天板２３及び底板２２に略平行である。
  
４）「【００２９】 
　図２（Ａ）〜（Ｃ）、図３、図４及び図５に示すように、
ケース２１内には、第１案内板５１、第２案内板５２、仕切部材４５〜４８及び仕切部材５３〜５９が設けられている。
【００３０】 
　
給気パスＰ１では、室外の空気ＯＡ（外気吸込ＯＡ）は、外気吸込口６１、第１素子４１の横流路Ｆ１、第１ミキシング流路Ｍ１、第２素子４２の横流路Ｆ２、ファン９３、室内給気口６２の順にケース２１内を流れ、室内給気口６２から室内に室内給気ＳＡとして給気される。
【００３１】 
　
排気パスＰ２では、室内の空気（排気吸込ＲＡ）は、排気吸込口６３、第２素子４２の縦流路Ｆ４、第２ミキシング流路Ｍ２、第１素子４１の縦流路Ｆ３、ファン９２、排気吹出口６４の順にケース２１内を流れ、排気吹出口６４から室外に排気吹出ＥＡとして排気される。具体的には、排気パスＰ２は、排気吸込口６３からケース２１内に吸い込まれた空気が、第１素子４１を通過しない後述する迂回路Ｂ（図３参照）を経由して第１素子４１よりも側板２５側に流れて第２素子４２を先に通過した後、第２ミキシング流路Ｍ２を側板２４側に流れ、さらに第１素子４１を通過して排気吹出口６４に至る旋回した経路（図２（Ｂ）及び図５参照）を有している。
５）「【００３８】
　図２（Ａ）に示すように、
仕切部材５６は、給気パスＰ１において外気吸込口６１から吸い込まれた外気吸込ＯＡと、排気パスＰ２において排気吸込口６３から吸い込まれた排気吸込ＲＡとが混ざらないように、第１素子４１の横流路Ｆ１の入口側の面４１Ａと側板２４との間に設けられている。
６）「【００５１】
　
図３に示すように、第１案内板５１は、第１素子４１の縦流路Ｆ３に排気パスＰ２を流れる空気が流入するのを抑制するとともに当該空気を第２素子４２の縦流路Ｆ４に案内する迂回路Ｂの一部を形成している。この迂回路Ｂは、第１案内板５１の外面（底板２２側の面）と底板２２の内面との間の領域と、第１素子４１の方向Ｄ４の端面と側板２７の内面との間の領域とを含む。
【００５２】
　また、第１案内板５１は、第１素子４１の縦流路Ｆ３を流れる排気パスＰ２の空気を第１素子４１の長手方向の方向Ｄ３の領域に多く配分する役割を担う。すなわち、第１素子４１の方向Ｄ４の領域は、第１案内板５１との距離が小さいので、縦流路Ｆ３から流出する空気が流れる際の抵抗も大きくなる。したがって、第１素子４１の縦流路Ｆ３を流れる排気パスＰ２の空気は、第１素子４１の長手方向の方向Ｄ４の領域よりも方向Ｄ３の領域に多く配分される。第１案内板５１の傾斜角度を調整することにより、前記配分を調整できる。
【００５３】
　
第２案内板５２は、第１素子４１の縦流路Ｆ３を通過した排気パスＰ２を流れる空気が第２素子４２の縦流路Ｆ４に再流入するのを抑制するとともに当該空気を室内給気口６２側に案内する案内路Ｇを形成している。
７）上記記載事項「図３に示すように、第１案内板５１は、第１素子４１の縦流路Ｆ３に排気パスＰ２を流れる空気が流入するのを抑制するとともに当該空気を第２素子４２の縦流路Ｆ４に案内する迂回路Ｂの一部を形成している。この迂回路Ｂは、第１案内板５１の外面（底板２２側の面）と底板２２の内面との間の領域と、第１素子４１の方向Ｄ４の端面と側板２７の内面との間の領域とを含む。」との記載（上記６））及び「第２案内板５２は、第１素子４１の縦流路Ｆ３を通過した排気パスＰ２を流れる空気が第２素子４２の縦流路Ｆ４に再流入するのを抑制するとともに当該空気を室内給気口６２側に案内する案内路Ｇを形成している。」との記載（上記６））並びに図３の記載から、「第１案内板５１は、第１案内板５１の外面と底板２２の内面との間の領域を含むように迂回路Ｂを構成し、第２案内板５２は、第２案内板５２の外面と底板２２の内面との領域を含むように案内路Ｇが構成される」ことが看取できる。
「【図３】
　　　　　　　　　　　　　　　　　　　　　　　　　　　　　　　　　」
「【図４】
 
　　　　　　　　　　　　　　　　　　　　　　　　　　　　　　　　　」
「【図５】
　　　　　　　　　　　　　　　　　　　　　　　　　　　　　　　　 」
２　引用発明
　上記記載事項から、引用文献１には、以下の発明が記載されている。 
 「ケース２１は、４つの側板２４、２５、２６及び２７並びに底板２２及び天板２３を備えて略直方体形状を有しており、外気吸込口６１及び排気吸込口６３は、側板２４に設けられており、室内給気口６２及び排気吹出口６４は、側板２５に設けられおり、ケース内に第１案内板５１、第２案内板５２、第１素子４１、第２素子４２、ファン９２、９３が配置され、第１案内板５１は、第１素子４１の縦流路Ｆ３に排気パスＰ２を流れる空気が流入するのを抑制するとともに当該空気を第２素子４２の縦流路Ｆ４に案内する迂回路Ｂの一部を形成し、第２案内板５２は、第１素子４１の縦流路Ｆ３を通過した排気パスＰ２を流れる空気が第２素子４２の縦流路Ｆ４に再流入するのを抑制するとともに当該空気を室内給気口６２側に案内する案内路Ｇを形成し、第１素子４１及び第２素子４２は直方体形状を有しており、第１素子４１は、横流路Ｆ１が開口する一対の対向面４１Ａ，４１Ｂのうち、横流路Ｆ１の入口側の面４１Ａが側板２４側に位置し、第２素子４２は、横流路Ｆ２が開口する一対の対向面４２Ａ，４２Ｂのうち、横流路Ｆ２の入口側の面４２Ａが側板２４側に位置しており、第１素子４１は、縦流路Ｆ３が開口する一対の対向面４１Ｃ，４１Ｄのうち、縦流路Ｆ３の入口側の面４１Ｃが天板２３側に位置し、第２の素子４２は、縦流路Ｆ４が開口する一対の対向面４２Ｃ，４２Ｄのうち、縦流路Ｆ４の入口側の面４２Ｄが底板２２側に位置しており、横流路Ｆ１，Ｆ２の各対向面は、側板２４に略平行であり、縦流路Ｆ３，Ｆ４の各対向面は、天板２３及び底板２２に略平行であり、外気吸込口６１から室内給気口６２に至る給気パスＰ１を流れる室外の空気と、排気吸込口６３から排気吹出口６４に至る排気パスＰ２を流れる室内の空気との間で熱交換させるために、第１素子４１は、方向Ｄ１に延びる複数の貫通孔からなる横流路Ｆ１と、方向Ｄ２に延びる複数の貫通孔からなる縦流路Ｆ３とを有し、第２素子４２は、方向Ｄ１に延びる複数の貫通孔からなる横流路Ｆ２と、方向Ｄ２に延びる複数の貫通孔からなる縦流路Ｆ４とを有し、横流路（Ｆ１、Ｆ２）と縦流路（Ｆ３、Ｆ４）とが直交し、第１案内板５１は、第１案内板５１の外面と底板２２の内面との間の領域を含むように迂回路Ｂを構成し、第２案内板５２は、第２案内板５２の外面と底板２２の内面との領域を含むように案内路Ｇが構成される直交流式の全熱交換素子を有する換気装置であって、
　給気パスＰ１では、室外の空気ＯＡは、第１素子４１の横流路Ｆ１、第２素子４２の横流路Ｆ２を流れ、室内給気口６２から室内に室内給気ＳＡとして給気され、排気パスＰ２では、室内の空気は、迂回路Ｂ、第２素子４２の縦流路Ｆ４、第１素子４１の縦流路Ｆ３、案内路Ｇを流れ、排気吹出口６４から室外に排気吹出ＥＡとして排気され、仕切部材５６が給気パスＰ１において外気吸込口６１から吸い込まれた外気吸込ＯＡと、排気パスＰ２において排気吸込口６３から吸い込まれた排気吸込ＲＡとが混ざらないように、第１素子４１の横流路Ｆ１の入口側の面４１Ａと側板２４との間に設けられた換気装置。」（以下、「引用発明」という。） 
第４　対比 
　引用発明の「全熱交換素子」を有する「換気装置」は、本願発明の「熱交換換気装置」に相当する。 
　引用発明の「外気吸込口６１」は、本願発明の「室外側吸込口」又は「室外側吸込口」の「入口端」に相当する。
　引用発明の「排気吸込口６３」は、本願発明の「室内側吸込口」又は「室内側吸込口」の「入口端」に相当する。
　引用発明の「排気吹出口６４」は、本願発明の「室外側吹出口」又は「室外側吹出口」の「出口端」に相当する。
　引用発明の「室内給気口６２」は、本願発明の「室内側吹出口」又は「室内側吹出口」の「出口端」に相当する。 
　引用発明の「ケース」は、本願発明の「箱体のケーシング」に相当する。　引用発明の「側板２４」、「側板２５」、「側板２６」、「側板２７」、「天板２２」及び「底板２２」は、それぞれ本願発明の「吸込口側側面」、「吹出側側面」、「室外側側面」、「室内側側面」、「ケーシングの上面」及び「ケーシングの下面」に相当する。 
　引用発明の「給気パスＰ１」及び「排気パスＰ２」は、それぞれ本願発明の「給気路」及び「排気路」に相当する。
　引用発明の「ファン９３」及び「ファン９２」は、それぞれ本願発明の「給気送風機ユニット」及び「排気送風機ユニット」に相当する。 
　引用発明の「第１素子４１」及び「第２素子４２」は、「複数の貫通孔からなる横流路（Ｆ１、Ｆ２）と複数の貫通孔からなる縦流路（Ｆ３、Ｆ４）とが直交している直交流式の全熱交換素子」であるから、本願発明の「ケーシング内に配置され、前記給気路の一部を形成する熱交換器内部給気路、及び前記排気路の一部を形成し、該熱交換器内部給気路と交差する熱交換器内部排気路を有し、該熱交換器内部給気路を通過する給気流と該熱交換器内部排気路を通過する排気流との間で熱交換を行う熱交換器」に相当する。
　引用発明の「横流路Ｆ１」及び「横流路Ｆ２」は、「給気パスＰ１では、室外の空気ＯＡは、第１素子４１の横流路Ｆ１、第２素子４２の横流路Ｆ２を流れ、室内給気口６２から室内に室内給気ＳＡとして給気される」こと、「第１素子４１は、横流路Ｆ１が開口する一対の対向面４１Ａ，４１Ｂから」構成されていること及び「第２素子４２は、横流路Ｆ２が開口する一対の対向面４２Ａ，４２Ｂから」構成されていることから、本願発明の「給気路を流れる空気は、給気流入面及び給気流出面を通った後に吹吹出口側側面へ向かって流れ」る流路に相当する。
　引用発明の「縦流路Ｆ３」及び「縦流路Ｆ４」は、「排気パスＰ２では、室内の空気は、迂回路Ｂ、第２素子４２の縦流路Ｆ４、第１素子４１の縦流路Ｆ３、案内路Ｇを流れ、排気吹出口６４から室外に排気吹出ＥＡとして排気される」こと、「第１素子４１は、縦流路Ｆ３が開口する一対の対向面４１Ｃ，４１Ｄ」から構成されていること及び「第２の素子４２は、縦流路Ｆ４が開口する一対の対向面４２Ｃ，４２Ｄ」で構成されていることから、本願発明の「熱交換器の排気流入面及び熱交換器の排気流出面を通った後にケーシング」「に向かって流れ」る流路に相当する。
　引用発明の「第１素子４１」及び「第２素子４２」は、直方体形状を有しており、直方体は、全ての面が長方形で構成される六面体であり、仮に「第１素子４１」及び「第２素子４２」が正六面体であったとしても、正方形も長方形の一種であるから、本願発明の「熱交換器」であって「形状は、前記室内側側面又は前記室外側側面から正面視した状態において長方形で」あることに相当する。
　引用発明の「面４１Ａ」及び「面４２Ａ」は、面４１Ａが横風路Ｆ１の入口側の面であること及び面４２Ａが横流路Ｆ２の入口側の面であることから（図４参照）、それぞれ本願発明の「給気流入面」に相当し、引用発明の「面４１Ｂ」及び「面４２Ｂ」は、それぞれ「面４１Ａ」及び「面４２Ａ」の対向する面であり（図４参照）、横風路の出口側の面となるから、本願発明の「給気流出面」に相当する。
　引用発明の「面４１Ｃ」及び「面４２Ｄ」は、面４１Ｃが縦通路Ｆ３の入口側であること及び面４２Ｄが縦通路Ｆ４の入口側であることから（図４参照）、本願発明の「排気流入面」に相当し、引用文献１の「面４１Ｄ」及び「面４２Ｃ」は、それぞれ「面４１Ｃ」及び「面４２Ｄ」の対向する面であり（図４参照）、縦風路の出口側の面となるから、本願発明の「排気流出面」に相当する。
　引用発明の「第１素子４１は、横流路Ｆ１が開口する一対の対向面４１Ａ，４１Ｂのうち、横流路Ｆ１の入口側の面４１Ａが側板２４側に位置し、第２素子４２は、横流路Ｆ２が開口する一対の対向面４２Ａ，４２Ｂのうち、横流路Ｆ２の入口側の面４２Ａが側板２４側に位置して」いること、「横流路Ｆ１，Ｆ２の各対向面は、側板２４に略平行で」あること並びに、第１素子４１、第２素子４２は直方体であること及び「ケース２１は、４つの側板２４、２５、２６、２７を備え略直方体形状を有して」いることから、第１素子４１の面４１Ａは、側板２４及び側板２５と平行であり、第２素子４２の面４２Ａは側板２４及び側板２５と平行であるといえ、同様に、第１素子４１の面４１Ｂは、側板２４及び側板２５と平行であり、第２素子４２の面４２Ｂは側板２４及び側板２５と平行であるといえる（図４及び図５参照。）。そうすると、引用発明の「第１素子」及び「第２素子」は、本願発明の熱交換器が備える「前記熱交換器の給気流入面は、前記吸込口側側面及び前記吹出口側側面と平行であり、前記熱交換器の給気流出面は、前記吸込口側側面及び前記吹出口側側面と平行であ」る態様を備えているといえる。
　引用発明の「第１素子４１は、縦流路Ｆ３が開口する一対の対向面４１Ｃ，４１Ｄのうち、縦流路Ｆ３の入口側の面４１Ｃが天板２３側に位置し、第２の素子４２は、縦流路Ｆ４が開口する一対の対向面４２Ｃ，４２Ｄのうち、縦流路Ｆ４の入口側の面４２Ｄが底板２２側に位置しており、」「縦流路Ｆ３，Ｆ４の各対向面は、天板２３及び底板２２に略平行であ」ることから、第１素子４１の面４１Ｃは、天板２２及び底板２２と平行であり、第２素子４２の面４２Ｄは天板２２及び底板２２と平行であるといえ、同様に、第１素子４１の面４１Ｄは、天板２２及び底板２２と平行であり、第２素子４２の面４２Ｃは天板２２及び底板２２と平行であるといえる（図４及び図５参照。）。そうすると、引用発明の「第１素子」及び「第２素子」は、本願発明の熱交換器が備える「前記熱交換器の排気流入面は、前記ケーシングの上面及び前記ケーシングの下面と平行であり、前記熱交換器の排気流出面は、前記ケーシングの上面及び前記ケーシングの下面と平行であ」る態様を備えているといえる。
　引用発明の「第１素子４１」は、直方体形状を有しているから、第１素子４１の面４１Ａと面４１Ｂの面積は等しく、面４１Ｃと面４１Ｄの面積は等しいことは明らかであり、同じく、引用発明の「第２素子４２」は、直方体形状を有しているから、第２素子４２の面４２Ａと面４２Ｂの面積は等しく、面４２Ｃと面４２Ｄの面積は等しいことは明らかである。
　引用発明の「給気パスＰ１において外気吸込口６１から吸い込まれた外気吸込ＯＡと、排気パスＰ２において排気吸込口６３から吸い込まれた排気吸込ＲＡとが混ざらないように、第１素子４１の横流路Ｆ１の入口側の面４１Ａと側板２４との間に設け」られた「仕切部材５６」は、本願発明の「ケーシング内に配置され、前記吸込口側側面と前記熱交換器との間に設けられている部品」に相当する。　
２　したがって、本願発明は引用発明とは、
「室外側吸込口及び室内側吸込口が形成された吸込口側側面と、前記吸込口側側面と対向し、室外側吹出口及び室内側吹出口が形成された吹出口側側面と、室内側側面と、前記室内側側面と対向する室外側側面と、を有する箱体のケーシングと、
　前記室外側吸込口を入口端とし、前記ケーシング内を経て前記室内側吹出口を出口端とし、室外の空気を室内へ給気する給気路と、
　前記室内側吸込口を入口端とし、前記ケーシング内を経て前記室外側吹出口を出口端とし、室内の空気を室外へ排気する排気路と、
　前記ケーシング内に配置され、前記給気路を通過する給気流を形成し、給気送風機モータを有する、給気送風機ユニットと、
　前記ケーシング内に配置され、前記排気路を通過する排気流を形成し、排気送風機モータを有する、排気送風機ユニットと、
　前記ケーシング内に配置され、前記給気路の一部を形成する熱交換器内部給気路、及び前記排気路の一部を形成し、該熱交換器内部給気路と交差する熱交換器内部排気路を有し、該熱交換器内部給気路を通過する給気流と該熱交換器内部排気路を通過する排気流との間で熱交換を行う熱交換器と、を備えた熱交換換気装置であって、
　前記ケーシング内に配置され、前記吸込口側側面と前記熱交換器との間に設けられている部品とを備え、
　前記熱交換器の形状は、前記室内側側面又は前記室外側側面から正面視した状態において長方形であり、
　前記熱交換器の給気流入面は、前記吸込口側側面及び前記吹出口側側面と平行であり、
　前記熱交換器の給気流出面は、前記吸込口側側面及び前記吹出口側側面と平行であり、
　前記熱交換器の排気流入面は、前記ケーシングの上面及び前記ケーシングの下面と平行であり、
　前記熱交換器の排気流出面は、前記ケーシングの上面及び前記ケーシングの下面と平行であり、
　　前記給気路を流れる空気は、前記給気流入面及び前記給気流出面を通った後に前記吹出口側側面へ向かって流れ、
　前記排気路を流れる空気は、前記熱交換器の排気流入面及び前記熱交換器の前記排気流出面を通った後に前記ケーシングに向かって流れ、
　前記給気流入面の面積及び前記給気流出面の面積は等しい
　熱交換換気装置。」
である点で一致し、以下の点で相違する。
＜相違点１＞
　本願発明は、「給気流入面の面積」は「排気流入面の面積」よりも小さいものであるのに対して、引用発明は、「第１素子４１」及び「第２素子４２」の面積についてそのような特定がされていない点。
＜相違点２＞
　本願発明は、排気路を流れる空気が「熱交換器の排気流入面及び熱交換器の排気流出面を通った後にケーシングの下面に向かって流れ」るようになっており、そのため「部品」が排気路を流れる空気を熱交換器の上面にある排気流入面に誘導するように、「前記室内側吸込口の下縁部から、前記下縁部の上側に位置している前記排気流入面の前端へ延びる板状部材」としているのに対して、引用発明の「第１素子４１」は、「縦流路Ｆ３が開口する一対の対向面４１Ｃ，４１Ｄのうち、縦流路Ｆ３の入口側の面４１Ｃが天板２３側に位置し」ているものの、「第２の素子４２」は、「縦流路Ｆ４が開口する一対の対向面４２Ｃ，４２Ｄのうち、縦流路Ｆ４の入口側の面４２Ｄが底板２２側に位置して」おり、「仕切部材５６が給気パスＰ１において外気吸込口６１から吸い込まれた外気吸込ＯＡと、排気パスＰ２において排気吸込口６３から吸い込まれた排気吸込ＲＡとが混ざらないように」配置されているものの、第２素子４２の「面４２Ｄ」は排気吸込口６３の下縁部より上側に配置されておらず、「仕切部材５６」が本願発明の「部品」のような配置となっていない点。
＜相違点３＞
　本願発明は、「熱交換器は、前記室内側側面から前記室外側側面にかけて設けられ」ているのに対して、引用発明は、第１素子４１及び第２素子４２は第３側板から第４側板にかけて設けられていない点。
第５　判断 
　上記相違点について検討する。 
＜相違点１＞について
　引用発明は、直方体形状の全熱交換素子が、対向する角同士を結ぶ方向が一方の主板に平行となる姿勢で配置されている場合に比べて、全熱交換素子の大きさが同じであっても、ケースの厚さ方向の寸法を小さくするものである（段落０００９）。 
　また、一般に、熱交換器の分野において、熱交換素子の熱交換性能の向上を図ることは、周知の課題であることから、当業者であれば、引用発明の熱交換素子について、その目的の範囲内において熱交換の能力の向上を図ろうとすることは、通常の創作能力の発揮にすぎない。 
　そして、熱交換素子の能力の向上を図るきわめて一般的な手段は、その熱交換面積を増大させることであるところ、引用発明の直方体形状の熱交換素子の熱交換面積の増大させるにあたり、ケースの厚さ方向の寸法を大きくすることは、引用発明の目的に反することとなるから、ケースの幅方向に長くした直方体形状にして熱交換面積を増大させるようにすることは、当業者であれば、当然に考慮する設計的事項である。 
　また、正面視で二辺の長さが異なる長方形である熱交換素子の形状自体は、例えば実願昭５５−１２２８３３号（実開昭５７−４６７３４号）のマイクロフイルムの第３図、特開昭６０−６９４４３号のＦＩＧ．３にみられるように周知の形状であり、引用発明において当該形状となすこと、すなわち、横風路Ｆ１、Ｆ２に対向する面の面積を縦風路Ｆ３、Ｆ４に対向する面の面積よりも小さくすることに格段の困難性はない。 
　そうすると、上記相違点１に係る本願発明の構成は、熱交換器の分野における周知の課題を踏まえると、引用発明に基いて当業者が容易になし得るものである。
＜相違点２＞について
　引用発明の第１素子４１、第２素子４２のような、２つの流体が上下と横方向で直交して熱交換を行う熱交換器において、上下方向に流れる流体について上から下に流すか、または、下から上に流すかの方向によって格別な効果を奏するものではないから、流体の上下方向の流し方は、当業者が適宜なし得る設計事項の範囲内であるといえる。
　そして、引用発明において、排気パスＰ２は、第２素子４２を下から上に通過するように縦通路（Ｆ４）が構成されているが、排気パスＰ２を第２素子４２を上から下へ通過するように構成することに格別な困難性はなく、排気パスＰ２が第１素子４１を上から下に通過するように縦通路（Ｆ３）が構成されていることからも、排気パスＰ２を縦通路（Ｆ４）を上から下へ通過するように構成することを阻害する要因はない。そして、引用発明において、排気パスＰ２の第２素子４２おける縦通路（Ｆ４）を上から下へ通過するように設計変更した際に、仕切部材５６により排気パスＰ２を構成するには、当該仕切部材５６は排気吸込口６３の下縁部から縦流路Ｆ４の入口側の面４２Ｄへ延びる板状部材とするのが流路構成上、当業者が容易になし得る設計的事項である。
　よって、相違点２に係る本願発明の構成は、当業者が容易になし得る程度の設計的事項である。
＜相違点３＞について
　上記＜相違点１＞について述べたとおり、熱交換器の分野において、熱交換素子の熱交換性能の向上を図ることは、周知の課題である。そして熱交換素子の能力の向上を図るきわめて一般的な手段は、その熱交換面積を増大させることであり、より熱交換面積を増大させるために、ケースの厚さ方向でない方向として熱交換器の長手方向に長くした直方体とすることも、当業者であれば容易になし得ることである。
　また、引用文献１には、「第１素子４１は、側板２４に沿うように側板２４に近接して配置されている。」（段落【００２４】）とあるように、熱交換素子を側板に近接するように配置し、熱交換素子をケース内で寸法を大きくとり得ることが示唆されている。
　そして、引用発明の排気パスＰ２の一部を形成する迂回路Ｂ及び案内路Ｇは、それぞれ第１案内板５１の外面と底板２２の内面との間の領域、及び第２案内板５２の外面と底板２２の内面との領域を含むように構成されるものであり、熱交換素子の下方にも流路を確保しているものであるところ、第１素子４１及び第２素子４２を長手方向に長くして、側板２６から側板２７にかけて設けたとしても排気パスＰ２を遮断する様なことにはならないから、引用発明において、熱交換素子を側板２６及び側板２７にかけて長くすることの阻害要因はない。
　そうすると、引用発明において、第１素子４１及び第２素子４２を側板２６から側板２７にかけて設けること、すなわち、引用発明において上記相違点３に係る本願発明の構成を採用することは、熱交換器の分野における周知の課題を踏まえると、当業者が容易になし得るものである。
　そして、上記相違点１ないし３をあわせてみても、本願発明が奏する効果は、当業者が引用発明から予測し得るものであり、格別なものとは認められない。
　したがって、本願発明は、引用発明に基いて当業者が容易に発明をすることができたものである。
第６　むすび
　以上のとおりであるから、本願発明は、特許法第２９条第２項の規定により特許を受けることができない。
　よって、他の請求項に係る発明について検討するまでもなく、本願は拒絶されるべきものである。
　よって、結論のとおり審決する。